(57)【特許請求の範囲】
【請求項１】
音声信号を出力するスピーカと、当該スピーカを聴取者の耳穴から所定距離離れた位置に装着する装着部とからなり、
前記装着部は、前記聴取者の頭部を挟持するアーチ状のバンド部、当該バンド部の各先端部に設けられて当該聴取者の左右側頭部におけるこめかみ辺りにそれぞれ接触する一対の装着パッド、および当該一対の装着パッドにそれぞれ延設されて先端に前記スピーカが取り付けられた一対のスピーカ取付アームを有し、
前記スピーカは、半球状もしくは半楕円球状に形成されて当該スピーカの後部を構成すると共に内側に吸音材を備えたハウジング、当該ハウジングの前面開口部に取り付けられたスピーカユニット、および当該ハウジングの前面に取り付けられて当該スピーカの前部を構成すると共に当該スピーカユニットを覆うフラット面に音孔が形成され、かつ当該フラット面の周縁部が当該フラット面よりも突出させられてフードとして形成された円盤状のカバーを有して銃弾形状をなし、当該ハウジングの当該前面開口部の口縁の一部の部位において前記スピーカ取付アームの前記先端に可動自在に取り付けられ、
前記一対のスピーカ取付アームは、前記一対の装着パッドが前記バンド部によって前記左右側頭部に接触させられている状態において、当該装着パッドから下向き外開きで、かつ後方に傾斜した状態でそれぞれ延出して、前記スピーカを前記耳穴から前方に前記所定距離離れた位置で、かつ当該スピーカを当該耳穴に指向させた状態で装着し、
前記フードは、前記スピーカ取付アームの前記先端が取り付けられた前記ハウジングの前記口縁の前記一部の部位側に位置する基端側よりも、当該一部の部位に対向する当該口縁の他の一部の部位側に位置する先端側が高くなるように形成されているイヤースピーカ。
【発明の詳細な説明】
【技術分野】
【０００１】
本発明は、音楽等を個人的に楽しむためのイヤースピーカに関する。
【背景技術】
【０００２】
携帯式のオーディオプレーヤ等で個人的に音楽を楽しむためのヘッドホンとして、ヘッドバンドを介して耳介を覆うように装着されるオーバーヘッド型、外耳に引っ掛けて装着されるイヤーフィット型、耳孔に直接挿入するインナーイヤー型等が知られている。
【０００３】
近年、こうしたヘッドホンで長時間で音楽を聴取したことによる難聴（ヘッドホン難聴）が問題になっている。この点、特許文献１では、鼓膜への直接的な刺激を避けるため、スピーカを耳穴の入口正面から外れた位置に設けるようにしたヘッドホンが提案されているが、オーバーヘッド型のヘッドホンと同様に耳介全体をイヤーパッドで覆い、イヤーパッドで囲まれる空間に音場を形成するようにしているため、周囲音が聞こえにくく、安全性に問題があるという課題を解決することができない。
【先行技術文献】
【特許文献】
【０００４】
【特許文献１】特許第３０５４２９５号公報
【発明の概要】
【発明が解決しようとする課題】
【０００５】
本発明は、耳への負担を軽減しヘッドホン難聴になりにくくすること、周囲音を遮断せず安全に使用できることを目的としたイヤースピーカを提供するものである。
【課題を解決するための手段】
【０００６】
この課題を解決するために本発明は、音声信号を出力するスピーカと、当該スピーカを聴取者の耳穴から所定距離離れた位置に装着する装着部とからなり、前記装着部は、前記聴取者の頭部を挟持するアーチ状のバンド部、当該バンド部の各先端部に設けられて当該聴取者の左右側頭部におけるこめかみ辺りにそれぞれ接触する一対の装着パッド、および当該一対の装着パッドにそれぞれ延設されて先端に前記スピーカが取り付けられた一対のスピーカ取付アームを有し、前記スピーカは、半球状もしくは半楕円球状に形成されて当該スピーカの後部を構成すると共に内側に吸音材を備えたハウジング、当該ハウジングの前面開口部に取り付けられたスピーカユニット、および当該ハウジングの前面に取り付けられて当該スピーカの前部を構成すると共に当該スピーカユニットを覆うフラット面に音孔が形成され、かつ当該フラット面の周縁部が当該フラット面よりも突出させられてフードとして形成された円盤状のカバーを有して銃弾形状をなし、当該ハウジングの当該前面開口部の口縁の一部の部位において前記スピーカ取付アームの前記先端に可動自在に取り付けられ、前記一対のスピーカ取付アームは、前記一対の装着パッドが前記バンド部によって前記左右側頭部に接触させられている状態において、当該装着パッドから下向き外開きで、かつ後方に傾斜した状態でそれぞれ延出して、前記スピーカを前記耳穴から前方に前記所定距離離れた位置で、かつ当該スピーカを当該耳穴に指向させた状態で装着し、前記フードは、前記スピーカ取付アームの前記先端が取り付けられた前記ハウジングの前記口縁の前記一部の部位側に位置する基端側よりも、当該一部の部位に対向する当該口縁の他の一部の部位側に位置する先端側が高くなるように形成されている。
【発明の効果】
【０００８】
本発明によれば、外耳道入口に対して所定距離離れた位置から音響出力するようにしたので、鼓膜に与えるダメージが大幅に軽減され、ヘッドホン難聴を防ぐことができる。また、耳を塞がないため、周囲の音が聞き取れ、安全にオーディオ再生を楽しめ、しゃべり声が大きくなることもない。
【０００９】
更に、スピーカのハウジング内に吸音材を取り付けたので、音漏れが少なく、反射した音波が前面から効率よく放射されるため、音質の劣化を最小限にすることができる。また、装着パッドにより装着状態を保持されるので、装着時のフィット感が高くずれにくい、長時間装着しても疲れにくい、耳が蒸れにくいという効果がある。また、フードにより、スピーカユニットからの音響出力をやや内側に指向させることができるという効果がある。
【図面の簡単な説明】
【００１０】
【図１】本発明のイヤースピーカの装着状態を示す側面図である。
【図２】本発明のイヤースピーカの装着状態を示す平面図である。
【図３】本発明のイヤースピーカの装着状態を示す背面図である。
【図４】スピーカ部の内部断面図である。
【図５】別の実施形態を示す説明図である。
【図６】別の実施形態を示す説明図である。
【発明を実施するための最良の形態】
【００１１】
以下、図面を用いて本発明の実施態様について説明する。図１乃至３は本発明のイヤースピーカを聴取者Ｐに装着した状態を示す外観図で、図１は側面図、図２は平面図、図３は背面図である。
本発明のイヤースピーカは、携帯型オーディオプレーヤ等の音響機器Ｉの出力端子に接続し、聴取者Ｐの頭部に装着してオーディオ再生する、いわゆるヘッドホンタイプのスピーカであり、ヘッドバンド１と、スピーカ２Ｒ，２Ｌと、接続ケーブル３とから構成されている。
【００１２】
ヘッドバンド１は、聴取者Ｐの側頭部から後頭部にかけて装着されるもので、アーチ状をなすバンド部４と、該バンド部４の先端部に設けられ聴取者Ｐの左右側頭部に接触して装着状態を保持するための装着パッド５Ｒ，５Ｌとからなり、装着パッド５Ｒ，５Ｌの外側にスピーカ取付アーム６Ｒ，６Ｌを介してスピーカ２Ｒ，２Ｌが回動自在に取り付けられている。
【００１３】
バンド部４は、弾性を有する柔軟で軽量な樹脂等の素材で構成され、聴取者Ｐの耳に掛止するための耳掛止部７を屈曲形成し、その弾性力と耳掛止部７によって聴取者Ｐの側頭部から後頭部にかけて着脱自在に挟持されるものである。
【００１４】
装着パッド５Ｒ，５Ｌは、バンド部４を聴取者Ｐの頭部に挟持する際に、丁度聴取者Ｐのこめかみ辺りに接触するため、柔軟で圧迫感の少ないスポンジ等の素材で構成され、長時間の使用にも耐えられるようにしている。
【００１５】
スピーカ取付アーム６Ｒ，６Ｌは、装着パッド５Ｒ，５Ｌの外側から下向き外開きで且つ後方に傾斜させて延設され、その先端にスピーカ２Ｒ，２Ｌが内外方向に回動自在に取り付けられている。
【００１６】
尚、このヘッドバンド１における一方の装着パッド５Ｌには、ステレオの接続ケーブル３が取り付けられ、一方をスピーカ取付アーム６Ｌ内を通じてスピーカ２Ｌに分岐接続し、他方をバンド部４内からスピーカ取付アーム６Ｒ内を通じてスピーカ２Ｒに分岐接続し、双方のスピーカ２Ｒ，２Ｌに音響機器Ｉからの音響信号を分岐出力している。
【００１７】
このような構成により、ヘッドバンド１を聴取者Ｐの頭部に取り付けると、バンド部４の弾性力と耳掛止部７によって聴取者Ｐの側頭部から後頭部にかけて装着され、装着パッド５Ｒ，５Ｌによって保持されることになる。この装着状態において、スピーカ２Ｒ，２Ｌは、それぞれ聴取者Ｐの右耳と左耳に対して所定距離Ｓ離れた位置から音響出力するものであり、スピーカ取付アーム６Ｒ，６Ｌの先端で回動調整して外耳道入口に指向させて使用される。
【００１８】
図４はスピーカ部の内部断面図である。
スピーカ２Ｒ，２Ｌは、半球状もしくは半楕円球状に形成されるハウジング８と、該ハウジング８の前面に取り付けられる円盤状のカバー９とからなり、カバー９が取り付けられるハウジング８の前面開口部にはオーディオ信号を再生音に変換するスピーカユニット１０が取り付けられている。
【００１９】
ハウジング８は、内面に渡ってウールフェルトからなる吸音材１１を貼着しており、ハウジング８外面への音漏れを防止し、ハウジング８内面からの反響を増幅する構造になっている。これにより、スピーカユニット１０の音響出力が効率的に前面側から放射される。
【００２０】
カバー９は、前面（本発明における「フラット面」に相当する）に複数の音孔１２を開口し、その周縁部を前面よりも突出させたフード１３を形成している。このフード１３は、スピーカユニット１０からの音響出力をやや内側に指向するよう、先端側が基端側よりも高くなるように形成されている。
【００２１】
スピーカユニット１０は、接続ケーブル３で接続された音響機器Ｉからの音響信号を再生するもので、特に指向性に乏しい低音域の出力を高めた出力特性を有している。これにより、スピーカ２Ｒ，２Ｌを耳から所定距離Ｓ離した位置で音響出力しても十分な音域でオーディオ再生を楽しむことができる。
【００２２】
本発明は以上のように構成されるもので、外耳道入口に対して所定距離離れた位置から音響出力するようにしたので、従来の耳介を覆うように装着されるオーバーヘッド型ヘッドホンや、外耳に引っ掛けて装着されるイヤーフィット型ヘッドホン、耳孔に直接挿入するインナーイヤー型ヘッドホン等に比べて鼓膜に与えるダメージが大幅に軽減され、ヘッドホン難聴を防ぐことができるとともに、周囲の音が聞き取れるため、安全にオーディオ再生を楽しむことができる。
【００２３】
また、装着パッド５Ｒ，５Ｌにより装着時のフィット感が高く、違和感や疲労感が少なくなるため、長時間装着してもずれにくく疲れにくい。更に、スピーカのハウジング内に吸音材を取り付けたので、音漏れが少なく、反射した音波が前面から効率よく放射される。
【００２４】
尚、本発明は上記実施態様に限らず、さまざまな形態が考えられる。例えば、バンド部の形状は、図５に示すように、側頭部から頭頂部にかけて装着するオーバーヘッド型（図５ａ）や、側頭部から前頭部にかけて装着するメガネ型（図５ｂ）、首に引っ掛けて装着するネック型（図５ｃ）にしても良い。
【００２５】
また、図６に示すように、バンド部４’の先端を耳の形状に合わせて屈曲させて耳掛止部７’を形成し、その先端にスピーカ２’を回動自在に取り付けるように構成しても良い。この場合、耳掛止部７’の屈曲部に装着パッド５’を取り付けて、上記実施例と同様に聴取者Ｐのこめかめ付近に接触させることで、バンド部４’の弾性力と耳掛止部７’によって聴取者Ｐの頭部にかけて装着された状態で、圧迫感なく装着保持することができる。
【符号の説明】
【００２６】
１    ヘッドバンド１
２Ｒ，２Ｌ  スピーカ
３    接続ケーブル
４    バンド部
５Ｒ，５Ｌ  装着パッド
６Ｒ，６Ｌ  スピーカ取付アーム
７    耳掛止部
８    ハウジング
９    カバー
１０  スピーカユニット
１１  吸音材
１２  音孔
１３  フード
Ｉ    音響機器
Ｐ    聴取者
Ｓ    所定距離
【図１】
0005367658.tif 000002
【図２】
0005367658.tif 000003
【図３】
0005367658.tif 000004
【図４】
0005367658.tif 000005
【図５】
0005367658.tif 000006
【図６】
0005367658.tif 000007